(57)【特許請求の範囲】
【請求項１】
錠箱機構部に回動操作力を入力するサムターン軸と、
該サムターン軸の前記錠箱機構部と反対側の端部を貫通させ該サムターン軸と相対回転可能となるとともに該サムターン軸に対し軸方向に摺動自在な摘みと、
前記サムターン軸の軸線方向略中央に固着した外歯リングと、
該外歯リングと前記摘みとの間に介在し該摘みを前記外歯リングから離反方向に付勢する離間バネと、
前記摘みの貫通穴に形成され前記摘みの軸方向の摺動によって前記外歯リングに噛合して前記摘みと前記サムターン軸との相対回転を不能にする内歯部と、
前記摘みと扉との間の前記サムターン軸に外挿して該サムターン軸を覆うとともに該サムターン軸に対して相対回転自在な空転リングと、
を具備したことを特徴とするサムターン。
【請求項２】
請求項１記載のサムターンにおいて、
前記摘みの表面に表出する前記サムターン軸の端面に、サムターン軸回転位置標示手段を設けたことを特徴とするサムターン。
【発明の詳細な説明】
【０００１】
【発明の属する技術分野】
本発明は、扉などの開閉体に内蔵された錠箱機構部に対し回転による操作力を入力し、錠箱内に設けたロック部材を開閉体枠に対して進退動作させるサムターンに関する。
【０００２】
【従来の技術】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
【０００３】
錠箱には、ロック部材である例えばデッドボルトが開閉体の端面（木口）から進退自在に設けられている。
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
また、屋内側からは、サムターンの摘みが回転操作されるのみで、デッドボルトが進退され、開閉体の施解錠が簡便に行えるようになっている。
【０００４】
【発明が解決しようとする課題】
近年、マンションや住宅の玄関扉等の開閉体、あるいはこれら玄関扉等の開閉体の近傍における開口枠体の周囲である壁部分に、高級感や優美性を高める目的で、ガラス板を嵌め込んだ小窓付のものが多用されるようになってきている。
ところが、このような開閉体の小窓や壁部分の小窓では、ガラス板が割られると、外部から、手を差し入れてサムターンを不正に操作したり、先端を鉤状に曲げた針金等を挿入して、サムターンが不正に操作されてしまう虞れがある。
【０００５】
一般的に、扉に多用される回転式のサムターンは、屋内側に露出する摘み部の翼板部に針金の鉤状先端を掛止し、回転モーメントを与えることにより不正な解錠操作が可能となる場合がある。
【０００６】
また、サムターンは、上記した小窓の無い開閉体においても、針金を挿入する隙間や孔などが開閉体自体あるいは壁部分等にあれば、同様に不正解錠される虞れがあった。
【０００７】
本発明は上記状況に鑑みてなされたもので、屋外側からの挿入等の不正な解錠行為を防止することのできるサムターンを提供し、施錠装置の不正解錠防止機能の向上を図ることを目的とする。
【０００８】
【課題を解決するための手段】
次に、上記の課題を解決するための手段を、実施の形態に対応する図面を参照して説明する。
この発明の請求項１記載のサムターン３は、錠箱機構部に回動操作力を入力するサムターン軸５と、
該サムターン軸５の前記錠箱機構部と反対側の端部を貫通させ該サムターン軸５と相対回転可能となるとともに該サムターン軸５に対し軸方向に摺動自在な摘み３１と、
前記サムターン軸５の軸線方向略中央に固着した外歯リング３９と、
該外歯リング３９と前記摘み３１との間に介在し該摘み３１を前記外歯リング３９から離反方向に付勢する離間バネ３５と、
前記摘み３１の貫通穴３３に形成され前記摘み３１の軸方向の摺動によって前記外歯リング３９に噛合して前記摘み３１と前記サムターン軸５との相対回転を不能にする内歯部５１と、
前記摘み３１と扉１との間の前記サムターン軸５に外挿して該サムターン軸５を覆うとともに該サムターン軸５に対して相対回転自在な空転リング４１と、
を具備したことを特徴とする。
【０００９】
このサムターン３では、摘み３１の操作力をサムターン軸５へ伝達するのに、摘み３１を軸線方向に押し、摘み３１の内歯部５１を、サムターン軸５に固着した外歯リング３９に噛合する必要がある。通常時には、外歯リング３９と摘み３１が離間バネ３５によって離間しているので、摘み３１は空回りし、摘み３１の操作力は錠箱機構部へ伝わらない。したがって、扉１等に設けた小窓を割り外部から手を差し入れたり、或いは扉１と扉枠の隙間から針金を差し入れることにより、サムターン３を不正に操作しようとしても、摘み３１が空転するのみで、操作力を錠箱機構部に入力して解錠を行うことができない。また、摘み３１と扉１との間のサムターン軸５に、サムターン軸５を覆うとともにサムターン軸５に対して相対回転自在な空転リング４１を外挿しているので、サムターン軸５の直接的な回動も不能となる。
【００１０】
請求項２記載のサムターン３は、請求項１記載のサムターンにおいて、
前記摘み３１の表面３１ｅに表出する前記サムターン軸５の端面６１に、サムターン軸回転位置標示手段６３を設けたことを特徴とする。
【００１１】
このサムターン３では、サムターン軸回転位置表示手段６３を目視することで、サムターン軸５が施錠位置又は解錠位置となっているのかを摘み３１の表面３１ｅ側から視認できるようになる。したがって、施解錠状態が不明になることがなく、施錠又は解錠動作が直ちに実行でき、施解錠の操作性を確保することができる。
【００１２】
【発明の実施の形態】
以下、本発明に係るサムターンの好適な実施の形態を図面を参照して詳細に説明する。
図１は本発明に係るサムターンの一実施の形態を表す断面図、図２は図１に示したサムターンの分解斜視図、図３は図１に示したサムターンの摘みを押し込んだ状態を表す動作説明図である。
【００１３】
扉１には図示しない錠箱を設けてあり、この錠箱はラッチボルト、デッドボルト、及びこれらを扉１の木口から進退させる錠箱機構部を内設している。扉１は屋内側１ａの面にサムターン３を備えている。上記した錠箱のデッドボルトは、扉１の屋外側の面に設けた図示しないシリンダー錠をキーによって、又はこのサムターン３を回動することによって扉木口から進退可能となる。
【００１４】
サムターン３は、錠箱機構部に回動操作力を入力するサムターン軸５を有している。
サムターン軸５は、錠箱に基端（図１の左端）を固定する支持筒７を貫通している。サムターン軸５は、後述するように、この支持筒７に当接する例えば図示しないＥリング等によって支持筒７からの抜脱が規制されて回動自在となっている。
【００１５】
このサムターン軸５の基端は、例えば断面十字形状の入力部９となって、図示しない錠箱機構部の入力軸に相対回転不能に嵌入される。
サムターン軸５は、例えば、この入力部９を形成した基端部１１と、それより屋内側に延在する先端部１３とに二分割されており、この基端部１１と、先端部１３とは、連結部１５によって相対回転不能に連結する構成としてもよい。
【００１６】
支持筒７は、略円筒形に形成され、後端部７ａに、軸線に直交方向の一対の凸部８を外周の上下に有し、これら凸部８に固定穴１０が形成されている。支持筒７は、扉面１ａに穿設した挿入穴２に後端部７ａを挿入し、扉１内に設けた図示しない錠箱にこの固定穴１０を介して固定する。これにより、支持筒７は、錠箱に回動不能に固定され、この錠箱に介して扉１の屋内面１ａ側に固定されることとなる。
【００１７】
支持筒７は、扉１の屋内側の面から略半部を突出している。支持筒７の突出端面には化粧板１７を嵌着している。さらに、扉１から突出した支持筒７の外周には、先端を開口させ、この開口を支持筒７の先端面に一致させた略円錐筒状の化粧リング１９を嵌着している。
【００１８】
サムターン軸５の先端部１３は、図２に示すように、基端側から先端側に向かって連結部１５，周溝２１，相対回転規制部２３，基軸部２５，フランジ２７を順次設けている。連結部１５は、サムターン軸５の基端部１１に設けた連結端を嵌合させる手段、例えば嵌合穴等を端面に有している。周溝２１は、両側に隣接する連結部１５及び相対回転規制部２３より小外径となるように外周を欠切した溝となる。連結部１５を基端部１１に連結した先端部１３は、この周溝２１に図示しないＥリング等の抜止手段を嵌着したり、又は支持筒７の半径方向に嵌入したストッパピン等の抜止手段をこの周溝２１に係合することで、支持筒７からの抜脱を規制している。
【００１９】
相対回転規制部２３の外周には、中心軸を対称に、軸線方向に延在する一対の突起２９，２９を形成している。この突起２９は、先端部１３の外周に外挿する後述のスペーサリング４３，外歯リング３９を回転不能に規制する。基軸部２５は、後述する摘み３１の貫通穴３３に貫通する。また、フランジ２７は、この摘みのサムターン軸５先端からの抜脱を規制する。
【００２０】
図２に示すように、摘み３１は、中心に穿設した貫通穴３３を有している。貫通穴３３は、空転リング収容部３３ａ、離間バネ収容部３３ｂ、軸受部３３ｃ、フランジ収容部３３ｄからなる。摘み３１は、表面３１ｅ側の貫通穴３３からサムターン軸５の先端部１３を挿入することで、軸受部３３ｃがフランジ２７に当接して、先端部１３から脱落しないようになっている。フランジ２７は、軸受部３３ｃに当接するとともに、摘み３１のフランジ収容部３３ｄ内に収容され、端面が摘み３１の表面３１ｅとほぼ同一面となる。摘み３１は、この状態で、サムターン軸５と同軸上に位置し、サムターン軸５と相対回転可能となる。
【００２１】
摘み３１を貫通した先端部１３には、連結部１５側から、離間バネ３５，固定リング３７，外歯リング３９，空転リング４１，スペーサリング４３を順次外挿して装着する。スペーサリング４３は、内周に凹部４５を有し、図１に示すように、この凹部４５を突起２９に係合して、サムターン軸５と相対回転不能となっている。このスペーサリング４３の外周には空転リング４１が遊嵌し、空転リング４１はスペーサリング４３、即ち、サムターン軸５に対して空転するようになっている。
【００２２】
また、外歯リング３９も内周に凹部４７を有し、この凹部４７を突起２９に係合することで、サムターン軸５と相対回転不能となる。この外歯リング３９は、相対回転規制部２３の外周で、スペーサリング４３と、基軸部２５に係合した固定リング３７とによって軸線方向の移動が規制されてサムターン軸５に嵌着している。なお、固定リング３７は、基軸部２５に形成した図示しない周溝に係合する例えばＥリング等としてもよい。
【００２３】
離間バネ３５は、一端が固定リング３７に当接し、他端が軸受部３３ｃに当接して、摘み３１を、外歯リング３９から離反する方向（図１の右方向）に付勢している。
摘み３１は、空転リング収容部３３ａの奥側に、内歯部５１を有している。内歯部５１は、外歯リング３９と同数となる円周方向に複数の歯部を設けた内歯車形状となっている。この内歯部５１は、所謂スプラインとしてもよい。内歯部５１は、外歯リング３９とそれぞれの歯部を噛合して、相対回転が不能となる。
【００２４】
内歯部５１は、摘み３１を離間バネ３５によって付勢することで、外歯リング３９と所定間隔を有して離間している。摘み３１は、この離間距離分、図３に示すように、空転リング４１を空転リング収容部３３ａ内に収容させ、離間バネ３５に抗してサムターン軸５の軸線方向に移動可能となっている。
【００２５】
本実施の形態において、摘み３１は、図２に示すように、曲面で構成される略円錐形状となっている。摘み３１は、このような円錐形状等とすることで、摘み３１の外周面に回転方向への引っ掛かり部がなくなり、先端を鉤状に折り曲げた針金を使用しても、摘み３１の外周面に鉤状部を引っ掛けて、摘み３１を回転させることができなくなっている。
【００２６】
また、摘み３１の表面３１ｅに表出するサムターン軸５の端面６１（図２参照）には、サムターン軸回転位置標示手段６３を設けている。サムターン軸回転位置標示手段６３は、微小な凹凸による標示、印刷や刻印、或いは部分的な着色による色分け等の標示手段とすることができる。つまり、先端を鉤状に折り曲げた針金等の引っかかりが防止でき、回転位置が認識できるものであればよい。
【００２７】
このようなサムターン軸回転位置表示手段６３を設けることで、現在のサムターン軸５が施錠位置又は解錠位置となっているのかを摘み３１の表面側から視認できるようになる。したがって、摘み３１を施錠側又は解錠側に回して施解錠状態を確認する無駄な動作が不要となり、施錠又は解錠動作が直ちに実行でき、施解錠の操作性が向上するようになっている。
【００２８】
次に、このような構成を有するサムターン３の作用を説明する。
サムターン３は、通常時、図１に示すように、離間バネ３５の付勢力によって外歯リング３９と内歯部５１とが離れている。したがって、摘み３１を回動しても、摘み３１のみが空転し、摘み３１の操作回動力は、サムターン軸５に伝わらない。
【００２９】
一方、錠箱機構部へ操作力を入力するには、図３に示すように、摘み３１を扉面方向に押す。すると、摘み３１の内歯部５１が、サムターン軸５に固着した外歯リング３９に噛合することとなる。この状態のまま、摘み３１を回動すると、摘み３１の回動が内歯部５１，外歯リング３９を介してサムターン軸５に伝わり、錠箱機構部に操作力が入力可能になる。
【００３０】
したがって、このサムターン３では、摘み３１の操作力をサムターン軸５へ伝達するのに、摘み３１を軸線方向に扉１の方向に押し、内歯部５１と外歯リング３９とを噛合させる必要がある。通常時には、内歯部５１と外歯リング３９とが離間バネ３５によって離間しているので、摘み３１は空回りし、摘み３１の操作力は錠箱機構部へ伝わらない。したがって、扉１等に設けた小窓を割り手を差し入れてサムターン３を不正に操作しようとしても、摘み３１を扉１方向に押しながら回転操作をしなくてはならないことから、容易にそのような操作を行うことが不可能となり、操作力を錠箱機構部に入力し解錠を行うことができず、また、扉１等に設けた小窓を割り、或いは扉１と扉枠の隙間から針金を差し入れることによりサムターン３を不正に操作しようとしても、針金先端が摘み３１の表面を滑り、係止することができず、また摘み３１は空転するのみで、操作力を錠箱機構部に入力して解錠を行うことができない。
【００３１】
また、摘み３１と扉１との間のサムターン軸５に、サムターン軸５を覆うとともにサムターン軸５に対して相対回転自在な空転リング４１を外挿しているので、針金の係止が不能となり、サムターン軸５の直接的な回動も不能にすることができる。
【００３２】
【発明の効果】
以上説明したように、本発明に係るサムターンによれば、サムターン軸に外歯リングを固着し、サムターン軸に相対回転可能となるとともに軸方向に接近離反動可能な摘みに、内歯部を形成したので、摘みの操作力をサムターン軸に伝達するには、摘みを押し、外歯リングと内歯部とを噛合しなければならないため、仮に扉等に設けた小窓を割り手を差し入れてサムターンを不正に操作しようとしても、摘みを押しながら回転操作をしなくてはならないことから、容易にそのような操作を行うことが不可能となり、操作力を錠箱機構部に入力し解錠を行うことができず、また、扉等に設けられた小窓を割り、或いは扉と扉枠の隙間から針金を差し入れることによりサムターンを不正に操作しようとしても、摘みが空転するのみとなり、操作力を錠箱機構部に入力して解錠を行うことができない。
【００３３】
さらに、摘みと扉との間のサムターン軸に、サムターン軸を覆うとともに該サムターン軸に対して相対回転自在な空転リングを外挿したので、サムターン軸を直接回動することもできない。
【００３４】
これにより、手を差し入れたり、針金を摘みに引っ掛けることによって、サムターンを回動させる不正解錠を確実に防止することができ、施錠装置の不正解錠防止機能を向上させることができる。
【００３５】
また、本発明に係るサムターンによれば、摘みの表面に表出するサムターン軸の端面に、サムターン軸回転位置標示手段を設けたので、このサムターン軸回転位置表示手段を目視することで、サムターン軸が施錠位置又は解錠位置となっているのかを摘みの表面側から視認できるようになる。したがって、施解錠状態が不明になることがなく、施錠又は解錠動作を直ちに実行できるようになり、施解錠の操作性を確保することができる。
【図面の簡単な説明】
【図１】本発明に係るサムターンの一実施の形態を表す断面図である。
【図２】図１に示したサムターンの分解斜視図である。
【図３】図１に示したサムターンの摘みを押し込んだ状態を表す動作説明図である。
【符号の説明】
１…扉
３…サムターン
５…サムターン軸
３１…摘み
３３…貫通穴
３５…離間バネ
３９…外歯リング
４１…空転リング
５１…内歯部
６１…端面
６３…サムターン軸回転位置標示手段
【図１】
0004008226.tif 000002
【図２】
0004008226.tif 000003
【図３】
0004008226.tif 000004